(57)【要約】【課題】ノブへの外部からの衝撃によるボリュームの破損を、簡単な構成で確実に防止できるアンプ内蔵型スピーカシステムを提供する。【解決手段】筐体内にスピーカとプリント基板２３が内蔵され、前記プリント基板２３に取付けられたボリューム２４制御用のシャフト２５の先端部を、筐体前面のバッフル２２に形成されたシャフト挿通孔３４からバッフル２２表面に突出させ、この突出したシャフト２５の先端部に操作用のノブ３７を装着したアンプ内蔵型スピーカシステム２１において、前記バッフル２２内側のシャフト挿通孔３４近傍に、プリント基板２３の端面に当接して支持する基板受け４４を形成し、前記ノブ３７に加えられた衝撃を、バッフル２２を介してプリント基板２３にも伝えて緩和する。【選択図】　　　　図１
2004139324.tif 000002
【特許請求の範囲】
【請求項１】
筐体内にスピーカとプリント基板が内蔵され、前記プリント基板に取付けられたボリューム制御用のシャフトの先端部を、前記筐体前面のバッフルに形成されたシャフト挿通孔からバッフル表面に突出させ、この突出したシャフトの先端部に操作用のノブを装着したアンプ内蔵型スピーカシステムにおいて、
前記バッフル内側のシャフト挿通孔近傍に、プリント基板の一端面に当接して支持する基板受けを形成し、前記ノブに加えられた衝撃を、バッフルを介してプリント基板にも伝え、衝撃を緩和するよう構成したこと
を特徴とするアンプ内蔵型スピーカシステム。
【請求項２】
前記筐体は、
前面部が開口した筐体主体と、前記開口部を閉止するバッフルとから構成されるもので、筐体主体の上部をスピーカの装着部とし、下部をプリント基板の装着部としたこと
を特徴とする請求項１に記載のアンプ内蔵型スピーカシステム。
【請求項３】
前記バッフルは、
内側にスピーカおよびプリント基板を装着する、弾性変形が可能な取付部の所要部位に、前記プリント基板に実装したボリュームのシャフトの先端部を貫通させるためのシャフト挿通部が形成されるとともに、このシャフト挿通部に、前記筐体側に突出するボス部を一体的に形成し、このボス部の上部に基板受けを設けたこと
を特徴とする請求項１に記載のアンプ内蔵型スピーカシステム。
【請求項４】
前記バッフルは、
前記プリント基板に実装したボリュームのシャフトの先端部を貫通させるためのシャフト挿通部が形成され、このシャフト挿通部に、前記筐体側に突出するボス部を一体的に形成するとともに、ボス部の上部に基板受けを有し、かつ前記基板受けの取付位置と平行して、取付部の内側にプリント基板の左右の前縁部を支持する一対のサブの基板受けを設けたこと
を特徴とする請求項１〜３のいずれかに記載のアンプ内蔵型スピーカシステム。
【請求項５】
前記バッフルは、
内側にスピーカおよびプリント基板を装着する、弾性変形が可能な取付部の外周縁に沿って、前記筐体の前面開口部への嵌合縁部が一体的に形成されたものであること
を特徴とする請求項１〜４のいずれかに記載のアンプ内蔵型スピーカシステム。
【請求項６】
前記基板受けは、
板状体の前縁部に、プリント基板の前縁部を受入れる嵌合凹部を有する左右一対の支持板間を連結片で一体的に連結したものであること
を特徴とする請求項１、請求項３〜４のいずれかに記載のアンプ内蔵型スピーカシステム。
【請求項７】
前記サブの基板受けは、
一対の平板からなるもので、それぞれ前縁部に前記プリント基板の左又は右の前縁部を受入れる嵌合凹部を有する
ものであること
を特徴とする請求項４に記載のアンプ内蔵型スピーカシステム。
【発明の詳細な説明】
【０００１】
【発明の属する技術分野】
この発明は、コンピュータなどの機器に付設して使用することのできる、筐体内にスピーカとアンプとを内蔵したアンプ内蔵型スピーカシステムに関するものである。
【０００２】
【従来の技術】
コンピュータに後付けして使用される、あるいはヘッドホンステレオやＣＤプレーヤなどのようにアンプが内蔵されていない機器からの音声信号を、外部のアンプを介して再生する場合に使用される、小型のスピーカはいずれもアンプ内蔵型スピーカシステムが採用されている。
【０００３】
かかるアンプ内蔵型スピーカシステムは、一つの筐体（スピーカボックス）内に、スピーカと、アンプ、電源オン・オフ用のスイッチ、ボリューム制御用のシャフトなどを表面側に実装したプリント基板が内蔵され、前記スイッチならびにシャフトの先端部は、使用者が簡単に操作することができるよう、筐体の前面から突出している。（例えば、特許文献１参照）
【０００４】
【特許文献１】
特開２０００−２５３４７３公報（第３頁、図１）
【０００５】
すなわち、図５乃至図７に示す従来のスピーカシステム１は、たとえば、前面部が開口した中空の筐体（図示せず）の前記開口部に、バッフル（ｂａｆｆｌｅ）２を設けてスピーカボックスとし、その内部にスピーカ（図示せず）と、略平板状のプリント基板（Ｐｒｉｎｔｅｄ　Ｃｉｒｃｕｉｔ　Ｂｏａｒｄ：ＰＣＢ）３を配置したもので、このプリント基板３の表面の一端側には、ボリューム４が実装され、このボリューム４には、音量調節用の細長円柱状のシャフト５が回転可能に取付けられるとともに、その先端部を前記バッフル２の表側に突出させたもので、突出した先端部には、シャフト５を回転動作させる操作用のノブ６が取付けられたものである。
【０００６】
一方、前記バッフル２の前面の下側中央部には、プリント基板３に取付けられたボリューム４のシャフト５が挿通されるシャフト挿通孔１２が開口され、このシャフト挿通孔１２の内側には、ボリューム４のシャフト５の基端部が嵌合される円筒状のボス部１３が内部に向けて突設されている。
【０００７】
したがって、プリント基板３の一端部に突設させたシャフト５の先端部を、前記ボス部１３を介してシャフト挿通孔１２からバッフル２の表面に突出させ、このシャフト５の先端部に、バッフル２の外側からノブ６を装着するもので、このノブ６は、バッフル２のシャフト挿通孔１２の外側周縁に対して、回動可能とするため、間隙を介して取付けられている。
【０００８】
また、このバッフル２の内側の両側部には、図６に示すように、このバッフル２のシャフト挿通孔１２にボリューム４のシャフト５を挿通させて、このボリューム４が取付けられたプリント基板３を、水平にスピーカボックス内に収容させた際に、このプリント基板３の一端部の前縁両側部を嵌合するとともに、このプリント基板３の一端部が当接して、このプリント基板３の一端部を支持する略凹状の、左右一対の基板受け１４が、バッフル２の内側に上下方向に沿って設けられている。
【０００９】
【発明が解決しようとする課題】
ところが、上述の図５乃至図７に示すスピーカシステム１においては、バッフル２のシャフト挿通孔１２に挿通されたシャフト５の、先端部に取付けられたノブ６に対して外部から強い衝撃が加わった場合には、バッフル２の内側に設けた左右一対の基板受け１４で、プリント基板３の一端縁の両側部のみを支持しただけの構成であるので、図中の矢印で示すように、このノブ６への衝撃がシャフト５を介してボリューム４へと直接伝わってしまい、このボリューム４が破損してしまうおそれがある。
【００１０】
そこで、例えば、図８に示すように、バッフル２のシャフト挿通孔１２から突出したシャフト５の先端部にナット１１を装着し、ノブ６に強い衝撃が加わった場合に、ナット１１を介して外力の一部を、バッフル２に伝えて衝撃を緩和するような手段も提案されているが、バッフル２自体が衝撃によって変形し、撓むので、結果的にノブ６への衝撃が同様にシャフト５を介してボリューム４へと直接伝わってしまい、このボリューム４が破損してしまうおそれがある。
【００１１】
なお、図７において、符号１５は、ボス部１３の端面とボリューム４との間に介装された衝撃緩和用のパッキンである。
【００１２】
この発明はかかる現状に鑑みなされたもので、搬送途中あるいは使用中などにおいて、簡単な構成で、バッフルから突出するボリューム操作用のノブに強い衝撃が加わっても、その外力を直接プリント基板に実装されたボリュームに伝達させることなく、確実に衝撃を緩和することのできるアンプ内蔵型スピーカシステムを提供することを目的とするものである。
【００１３】
【課題を解決するための手段】
前記目的を達成するため、この発明の請求項１に記載の発明は、
筐体内にスピーカとプリント基板が内蔵され、前記プリント基板に取付けられたボリューム制御用のシャフトの先端部を、前記筐体前面のバッフルに形成されたシャフト挿通孔からバッフル表面に突出させ、この突出したシャフトの先端部に操作用のノブを装着したアンプ内蔵型スピーカシステムにおいて、
前記バッフル内側のシャフト挿通孔近傍に、プリント基板の一端面に当接して支持する基板受けを形成し、前記ノブに加えられた衝撃を、バッフルを介してプリント基板にも伝え、衝撃を緩和するよう構成したこと
を特徴とするアンプ内蔵型スピーカシステムである。
【００１４】
また、請求項２に記載の発明は、
請求項１に記載のアンプ内蔵型スピーカシステムにおいて、
前記筐体は、
前面部が開口した筐体主体と、前記開口部を閉止するバッフルとから構成されるもので、筐体主体の上部をスピーカの装着部とし、下部をプリント基板の装着部としたこと
を特徴とするものである。
【００１５】
また、請求項３に記載の発明は、
請求項１に記載のアンプ内蔵型スピーカシステムにおいて、
前記バッフルは、
内側にスピーカおよびプリント基板を装着する、弾性変形が可能な取付部の所要部位に、前記プリント基板に実装したボリュームのシャフトの先端部を貫通させるためのシャフト挿通部が形成されるとともに、このシャフト挿通部に、前記筐体側に突出するボス部を一体的に形成し、このボス部の上部に基板受けを設けたこと
を特徴とするものである。
【００１６】
また、請求項４に記載の発明は、
請求項１〜３のいずれかに記載のアンプ内蔵型スピーカシステムにおいて、
前記バッフルは、
前記プリント基板に実装したボリュームのシャフトの先端部を貫通させるためのシャフト挿通部が形成され、このシャフト挿通部に、前記筐体側に突出するボス部を一体的に形成するとともに、ボス部の上部に基板受けを有し、かつ前記基板受けの取付位置と平行して、取付部の内側にプリント基板の左右の前縁部を支持する一対のサブの基板受けを設けたこと
を特徴とするものである。
【００１７】
また、請求項５に記載の発明は、
請求項１〜４のいずれかに記載のアンプ内蔵型スピーカシステムにおいて、
前記バッフルは、
内側にスピーカおよびプリント基板を装着する、弾性変形が可能な取付部の外周縁に沿って、前記筐体の前面開口部への嵌合縁部が一体的に形成されたものであること
を特徴とするものである。
【００１８】
また、請求項６に記載の発明は、
請求項１、請求項３〜４のいずれかに記載のアンプ内蔵型スピーカシステムにおいて、
前記基板受けは、
板状体の前縁部に、プリント基板の前縁部を受入れる嵌合凹部を有する左右一対の支持板間を連結片で一体的に連結したものであること
を特徴とするものである。
【００１９】
さらに、請求項７に記載の発明は、
請求項４に記載のアンプ内蔵型スピーカシステムにおいて、
前記サブの基板受けは、
一対の平板からなるもので、それぞれ前縁部に前記プリント基板の左又は右の前縁部を受入れる嵌合凹部を有するものであること
を特徴とするものである。
【００２０】
【発明の実施の形態】
以下、この発明にかかるアンプ内蔵型スピーカシステムの好ましい一実施の形態の構成を図１ないし図３を参照して説明する。
【００２１】
図１ないし図３において、この発明のアンプ内蔵型スピーカシステム２１は、例えば、コンピュータなどに後付けされる音声出力用で、中空なスピーカボックス（図示せず）内に図示しないスピーカとプリント基板２３とを備えたものである。
【００２２】
前記スピーカボックスは、前面が開口した中空の筐体主体（図示せず）と、前記開口部を閉止するバッフル２２とから構成されるもので、その素材については特段の制限はないが、加工性の観点からプラスチック材料を使用することが好ましい。
【００２３】
このスピーカボックスは、基本的には上部をスピーカの装着部とし、下部をプリント基板２３の装着部としたもので、スピーカは、フレームの開口部が前記バッフル２２の上部に、またプリント基板２３は、スピーカボックスの底面部に対して略水平となるようバッフル２２にそれぞれ配設されるものである。
【００２４】
前記プリント基板２３は、スピーカボックス内に、その表面が下方側となるように配設されるもので、その表面には、アンプ、電源オン・オフ用スイッチ、音量制御用のボリューム２４などの各部品が実装されるものであるが、このボリューム２４は、図１で明らかなように、プリント基板２３の前縁部、すなわちバッフル２２側の中央部に配設固定されるもので、その前面部（バッフル２２側）の中央には、スピーカの音量調整を可能とする細長円筒状の所要長さのシャフト２５が、周方向に回転可能に突設されている。
【００２５】
このシャフト２５は、プリント基板２３の前端部からバッフル２２方向に向けて突出しているもので、シャフト２５の先端部には、ノブ３７を装着した場合、当該ノブ３７が空回りしないようにするための係合部（図示せず）が形成されている。
【００２６】
なお、このプリント基板２３の表面の前後方向における中央部には、このプリント基板２３から生じた熱を放熱させる放熱板２８が、また、後端部には、このプリント基板２３に電力を供給するためのリード線の接続端子（図示せず）が着脱可能に接続されるソケット部２９がそれぞれ取付けられている。
【００２７】
前記バッフル２２は、図１で明らかなように、床面に対して略垂直な平面を有する取付部３２と、この取付部３２の周縁に、筐体（スピーカボックス）方向に向けて傾斜させながら一体的に突出させた嵌合縁部３３とからなるもので、この嵌合縁部３３を、筐体の前側に開口された開口部に嵌合させることによって、バッフル２２を筐体に装着固定するものである。
【００２８】
さらに、この取付部３２における下側の中央部には、前記プリント基板２３に実装したボリューム２４のシャフト２５の先端部を、取付部３２の内側から外側へと突出させるための円形状のシャフト挿通孔３４が貫通した状態で開口されている。
【００２９】
このシャフト挿通孔３４は、ボリューム２４のシャフト２５の外径寸法より若干大きい内径寸法を有し、このシャフト挿通孔３４の内側には、ボリューム２４のシャフト２５が内側から挿入され、このシャフト２５によるシャフト挿通孔３４からの突出量を規制する円筒状のボス部３５が同心状に突設されている。
【００３０】
このボス部３５の先端部は、ボス部３５の内側からシャフト２５を挿通させた場合、ボリューム２４と当接するので、ボリューム２４とボス部３５の先端部との間には、図３で明らかなように、パッキン２７が介装されるものである。
【００３１】
また、このシャフト挿通孔３４の外側面側の周縁である開口内縁には、このシャフト挿通孔３４の開口縁よりも径の小さな円筒状の支持段部３６が周方向に沿って設けられているとともに、シャフト挿通孔３４の内側からシャフト２５を挿通させて、このシャフト挿通孔３４から取付部３２の外側へと突出したシャフト２５の先端部には、このシャフト２５を回転操作させる際の把持部となるノブ３７が、シャフト挿通孔３４の外側から取付けられている。
【００３２】
このノブ３７は、先端側が閉塞され、基端側が開口した有底円筒状に形成された本体部３８を備え、この本体部３８内の基端側には、シャフト２５の先端部が内側に嵌合される円筒状の嵌合筒部３９が同心状に突設されている。
【００３３】
さらに、このノブ３７は、このノブ３７の嵌合筒部３９をシャフト２５の先端部に嵌合させた際に、このシャフト２５が挿通された取付部３２の支持段部３６に、このノブ３７の本体部３８の基端縁が摺動可能に当接されるもので、このノブ３７の嵌合筒部３９は、シャフト挿通孔３４の支持段部３６の内径寸法よりも小さい外径寸法を有しているとともに、シャフト２５の外径寸法よりも若干小さい内径寸法を有している。
【００３４】
一方、取付部３２の内側における、ボス部３５の上側の両側部には、図２に示すように、この取付部３２のボス部３５にボリューム２４のシャフト２５を挿入させて、このボリューム２４が取付けられたプリント基板２３の前縁部を水平にバッフル２２に当接した場合、このプリント基板２３の前縁部左右の側部を嵌合しつつ支持して固定するとともに、このプリント基板２３の位置出しをする左右一対のサブの基板受け４１，４１が設けられている。
【００３５】
これら一対のサブの基板受け４１は、取付部３２の上下方向に沿った面方向を有する平板状に形成されたもので、これら一対のサブの基板受け４１，４１の外側縁の前後方向における中間部には、取付部３２の前後方向に沿った溝状の嵌合凹部４２が形成されている。
【００３６】
これら嵌合凹部４２は、プリント基板２３の幅寸法に略等しい幅寸法を有し、さらに、これら嵌合凹部４２の内縁には、これら嵌合凹部４２を拡開させるテーパ状である略Ｖ字状の拡開凹部４３が形成されている。
【００３７】
また、取付部３２の内側におけるシャフト挿通孔３４の近傍であるボス部３５の上側には、このボス部３５の内側から、ボリューム２４のシャフト２５を嵌合させて、このボリューム２４が取付けられたプリント基板２３を水平にバッフル２２に当接させた際に、このプリント基板２３の前縁中央部が嵌合されて、このプリント基板２３の前縁中央部に当接しつつ支持する、支持部としての略Ｈ字状の基板受け４４が設けられている。
【００３８】
この基板受け４４は、ボス部３５の上側に連続して設けられるもので、シャフト挿通孔３４の内側から挿通されたシャフト２５の先端部に取付けられるノブ３７に対し、取付部３２を介して対向する位置上に設けられ、前記各サブの基板受け４１と同様に、中央部に嵌合凹部４２を有する左右一対の支持板４５を備えている。
【００３９】
これら一対の支持板４５は、取付部３２の幅方向における中央部から等間隔に離間され、また、各支持板４５のそれぞれの嵌合凹部４２は、前記一対のサブの基板受け４１，４１の嵌合凹部４２に対して、取付部３２の幅方向に沿って水平に離間された位置に設けられている。
【００４０】
さらに、これら一対の支持板４５の嵌合凹部４２間には、各支持板４５に対して垂直に取付けられ、これら支持板４５の強度を確保させるリブ部である連結片４６が架橋された状態で一体的に設けられているもので、この連結片４６は、プリント基板２３の厚さ寸法よりも小さい厚さ寸法を有し、取付部３２の面方向に直交するとともに、この取付部３２の幅方向に沿った面方向を有している。
【００４１】
なお、前記基板受け４４およびサブの基板受け４１，４１のそれぞれは、取付部３２のボス部３５の内側から、ボリューム２４のシャフト２５を挿通させて、このボリューム２４のシャフト２５を嵌合させた際に、このボリューム２４が実装されたプリント基板２３の前縁部が、それぞれの嵌合凹部４２の基端部に線状に当接するまで、このプリント基板２３の前縁部が、それぞれの嵌合凹部４２に嵌合されるとともに当接される。
【００４２】
以下、前記一実施の形態の、組み立て動作を説明する。
まず、プリント基板２３に実装されたボリューム２４のシャフト２５を、取付部３２の内側から、ボス部３５に挿通させ、その先端部を取付部３２の外側へと突出させる。
【００４３】
このとき、このボリューム２４が実装されたプリント基板２３の前縁部の両側部を、取付部３２の左右の内側に突設した一対のサブの基板受け４１，４１の、それぞれの嵌合凹部４２内に嵌合させて当接させるとともに、このプリント基板２３の前縁部の中央部を、取付部３２の内側中央部に突設した基板受け４４における、一対の支持板４５の各嵌合凹部４２に嵌合させて当接させ、この基板受け４４の連結片４６に線状に当接させる。
【００４４】
この状態で取付部３２のシャフト挿通孔３４から、外部へと突出しているシャフト２５の先端部に、この取付部３２の外側からノブ３７の嵌合筒部３９を嵌合させるとともに、このノブ３７の本体部３８の基縁部を、取付部３２の支持段部３６の外側面に当接させる。
【００４５】
上述したように、前記一実施の形態によれば、取付部３２の内側であるシャフト挿通孔３４の上側であるとともに、この取付部３２を介してノブ３７に対向する位置に基板受け４４を設け、この基板受け４４によって、プリント基板２３の前縁部中央を嵌合させつつ当接させて支持させるとともに、この取付部３２のシャフト挿通孔３４から外部へと突出させたシャフト２５の先端部に取付けたノブ３７の本体部３８の基縁部を、取付部３２の支持段部３６に当接させたものである。
【００４６】
したがって、取付部３２のシャフト挿通孔３４から突出したシャフト２５の先端部に取付けられたノブ３７に対して、取付部３２の外側から強い衝撃が加わった場合には、この衝撃による外力Ｆがノブ３７から取付部３２の支持段部３６へと伝わって、この取付部３２を変形させる。さらに、この衝撃による外力Ｆは、ノブ３７の嵌合筒部３９からシャフト２５を介し、ボリューム２４へと伝わると同時に、ノブ３７の本体部３８から取付部３２の支持段部３６および基板受け４４を介してプリント基板２３へと伝わり、このプリント基板２３を基板受け４４にて押す形となる。
【００４７】
このように、このノブ３７へと加わった衝撃を、ボリューム２４およびプリント基板２３の双方に、同時に同一方向の力として伝えることができるので、ノブ３７への衝撃によってプリント基板２３とボリューム２４との間に力のずれが生じず、このノブ３７への外部からの衝撃による外力Ｆをボリューム２４が受けなくなるから、このボリューム２４への衝撃を緩和でき、このノブ３７への外部からの衝撃による、ボリューム２４の破損を簡単な構成で確実かつ容易に防止できる。
【００４８】
さらに、プリント基板２３の前縁部中央を支持する基板受け４４を、このプリント基板２３の前縁部中央が嵌合される、側面視が略凹状の一対の支持板４５，４５間に、このプリント基板２３の前縁部が当接する連結片４６を一体的に設けて構成したので、プリント基板２３の前縁中央部を面状に当接させて支持できるから、このプリント基板２３の支持を一対の支持板４５への嵌合によってより確実にできる。
【００４９】
同時に、基板受け４４の連結片４６による、プリント基板２３の前縁部への当接によって、取付部３２のシャフト挿通孔３４から外部へと突出したシャフト２５の先端部に取付けられたノブ３７への外部からの衝撃を、プリント基板２３の前縁部へとより広い面積を介して伝えることができるので、このノブ３７への衝撃をより確実にプリント基板２３へと伝えることができ、このノブ３７への外部からの衝撃によるボリューム２４の破損をより確実に防止できる。
【００５０】
なお、この実施の形態では、コンピュータなどに用いられる音声出力用のアンプ内蔵型スピーカシステム２１における、ボリューム調整用のノブ３７について説明したが、内部にプリント基板などの基板が収容され、このプリント基板から突出したシャフトや軸部などが外部へと挿通され、これらシャフトや軸部の先端部にノブやボタンなどが取付けられるもの、例えば、オンオフスイッチあるいは接続用のコネクタなどであっても対応させて用いることができる。
【００５１】
また、コンピュータなどに用いられる音声出力用のアンプ内蔵型スピーカシステム２１以外であっても、内部に基板が収容される装置、例えばパーソナルコンピュータ本体あるいはステレオ装置などであっても対応させて用いることができる。
【００５２】
さらに、図４に示すように、プリント基板２３に実装された、ボリューム２４のシャフト２５の外周面にナット２６を装着した場合においても、前記の構成は有効に作用するものである。
【００５３】
【発明の効果】
この発明のアンプ内蔵型スピーカシステムは、スピーカボックスを構成するバッフルに、プリント基板に装着したボリュームのシャフトを貫通させるためのシャフト挿通孔を形成するとともに、このバッフル内側のシャフト挿通孔近傍に、プリント基板の端面に当接して支持する基板受けを形成したので、この基板受けでプリント基板の端面を当接させて支持させつつ、前記シャフト挿通孔からバッフル表面に突出した、ボリュームのシャフトの先端部に外側からノブを取付け、このノブの基端部をシャフト挿通孔の周縁に当接させることにより、外部からノブに加わった衝撃を、シャフトを介してボリュームに伝えると同時に、基板受けを介してプリント基板の端面にも伝え、これらボリュームとプリント基板との双方に、同時に同じ方向の力を加え、ノブへの外部からの衝撃によるボリュームの破損を簡単な構成で確実に防止できる。
【００５４】
特に、この発明のアンプ内蔵型スピーカシステムは、ノブに対向するバッフルの内側に基板受けを設けたので、ノブへの外部からの衝撃をより確実に基板受けを介してプリント基板へと伝えると同時に、シャフトを介してボリュームへと伝えることができるから、このノブへの外部からの衝撃によるボリュームの破損をより確実に防止できる。
【００５５】
また、バッフルの内側で、かつシャフト挿通孔と一体のボス部の上部に、板状体の前縁部に、プリント基板の前縁部を受入れる嵌合凹部を有する左右一対の支持板間を連結片で一体的に連結した基板受けを配置し、プリント基板の前縁部の中央部を基板受けに形成した嵌合凹部に嵌合させるとともに当接させ、このプリント基板の前縁部を、基板受けの連結片に線状に当接させることによって、プリント基板を確実に保持できるとともに、ノブへの外部からの衝撃を、連結片にてプリント基板の前縁部へと、より確実に伝えることができるので、ノブへの外部からの衝撃による接続部の破損をより確実に防止できる。
【図面の簡単な説明】
【図１】この発明にかかるアンプ内蔵型スピーカシステムの一実施形態の一部を示す断面図である。
【図２】同上アンプ内蔵型スピーカシステムにおけるバッフル内側の一部を示す斜視図である。
【図３】同上アンプ内蔵型スピーカシステムの要部の拡大断面図である。
【図４】この発明にかかるアンプ内蔵型スピーカシステムの、他の実施の形態における要部の係る基板支持装置の一部を示す断面図である。
【図５】従来のアンプ内蔵型スピーカシステムの一部を示す断面図である。
【図６】同上アンプ内蔵型スピーカシステムにおけるバッフル内側の一部を示す斜視図である。
【図７】同上アンプ内蔵型スピーカシステムの要部の拡大断面図である。
【図８】他の従来のアンプ内蔵型スピーカシステムの要部を示す拡大断面図である。
【符号の説明】
２１　　　アンプ内蔵型スピーカシステム
２２　　　バッフル
２３　　　プリント基板
２４　　　ボリューム
２５　　　ボリュームのシャフト
３２　　　バッフルの取付部
３４　　　シャフト挿通孔
３７　　　操作用のノブ
４４　　　基板受け
４５　　　基板受けを構成する一対の支持板
４６　　　一対の支持板の連結片
【図１】
2004139324.tif 000003
【図２】
2004139324.tif 000004
【図３】
2004139324.tif 000005
【図４】
2004139324.tif 000006
【図５】
2004139324.tif 000007
【図６】
2004139324.tif 000008
【図７】
2004139324.tif 000009
【図８】
2004139324.tif 000010